(57)【要約】【課題】データの管理および検索を容易にするデジタルカメラおよびデータ同期システム、データ同期方法を提供する。【解決手段】デジタルカメラに装着されたメモリカードに記録されている撮影画像１がＰＣ２１０に送出されると、撮影画像１はメモリカード内に生成された転送済みフォルダに移動される。ＰＣ２１０では、転送された撮影画像１のバックアップファイルである撮影画像１ＡがＨＤ２１２に記録され、画像データベースに登録される。したがって、転送されたデータと未転送データとを容易に識別でき、同じデータを何度も転送したり、未転送データを誤って削除したりすることを防止できる。また、デジタルカメラに標準的に備えられたファイルシステムを利用してデジタルカメラとＰＣ２１０との間におけるデータの同期を取ることができる。【選択図】  図４
2004312367.tif 000002
【特許請求の範囲】
【請求項１】
被写体像を撮影した光学像を電気信号に変換する撮像手段と、前記撮像手段によって得られた画像信号を画像データに変換する信号処理手段と、前記画像データを前記記録媒体に記録する記録手段と、を備えたデジタルカメラであって、
前記記録媒体に記録されている画像データを外部機器に送出するデータ送出手段と、
前記外部機器に送出された画像データを記録する転送済みフォルダを前記記録媒体に生成するフォルダ生成手段と、
前記記録手段に記録されている画像データが外部機器に送出されると、当該データを前記転送済みフォルダに移動させ、前記画像データを移動元のフォルダから削除する制御を行う記録制御手段と、
を備えたことを特徴とするデジタルカメラ。
【請求項２】
前記記録媒体に前記転送済みフォルダが生成されている場合には、前記フォルダ生成手段は新たに転送済みフォルダを生成せず、前記記録制御手段は前記転送済みフォルダに外部機器へ転送された画像データを移動させる制御を行うことを特徴とする請求項１記載のデジタルカメラ。
【請求項３】
前記転送済みフォルダに記録される画像データを圧縮するデータ圧縮手段を備え、
前記記録制御手段は、前記転送済みフォルダに記録される画像データを前記データ圧縮手段によって圧縮した後に前記転送済みフォルダに記録することを特徴とする請求項１または２記載のデジタルカメラ。
【請求項４】
前記記録媒体および前記転送済みフォルダに記録されている画像データの再生画像を表示する表示手段を備え、
前記データ圧縮手段は、前記転送済みフォルダに記録される画像データを前記表示手段の最大表示能力で表示可能な容量に圧縮することを特徴とする請求項１、２または３記載のデジタルカメラ。
【請求項５】
前記外部機器に転送されたデータの複製が記録される記録先の情報を記録する記録先情報記録手段を備えたことを特徴とする請求項１乃至４のうち何れか１項に記載のデジタルカメラ。
【請求項６】
データ通信手段を備えた外部機器と、前記外部機器とデータ通信を行う通信手段を備えたデジタルカメラと、から成るデータ同期システムであって、
前記デジタルカメラは、被写体像を撮影した光学像を電気信号に変換する撮像手段と、
前記撮像手段によって得られた画像信号を画像データに変換する信号処理手段と、
前記画像データを前記記録媒体に記録する記録手段と、
前記記録媒体に前記画像データを記録する転送済みフォルダを生成するフォルダ生成手段と、
前記記録媒体に記録されている画像データが前記通信手段を介して前記外部機器に送出されると、前記画像データを前記転送済みフォルダに移動させ、前記画像データを移動元のフォルダから削除する制御を行う記録制御手段と、
を備えたことを特徴とするデータ同期システム。
【請求項７】
被写体像を撮影した光学像を電気信号に変換する撮像手段と、前記撮像手段によって得られた画像信号を画像データに変換する信号処理手段と、前記画像データを前記記録媒体に記録する記録手段と、前記記録媒体に記録されたデータを外部機器に送出するデータ送出手段と、備えたデジタルカメラと前記外部機器との間におけるデータ同期方法であって、
前記記録媒体に記録された画像データを、デジタルカメラから送出するデータ送出工程と、
前記記録媒体に転送済みフォルダを生成するフォルダ生成工程と、
前記転送工程によって前記サーバに前記画像データ転送されると、前記画像データを前記記録媒体から前記転送済みフォルダに移動させるデータ移動工程と、
前記データ移動工程において前記転送済みフォルダに移動された前記画像データを移動元から削除するデータ削除工程と、
から成るデータ同期方法。
【発明の詳細な説明】
【０００１】
【発明の属する技術分野】
本発明はデジタルカメラおよびデータ同期方法に係り、特にデータの検索や管理を容易にできるデータ記録技術に関する。
【０００２】
【従来の技術】
近年、記録メディアの大容量化が進み、１つの記録メディアに大量のデータを記録できるようになった。デジタルカメラで撮影した画像データ記録に使われるメモリカードも大容量化する傾向にあり、１つの記録メディアに大量の画像データを記録できるようになった。記録メディアに記録されたデータはＰＣなどの外部機器に転送され、データ加工や印刷、データバックアップなどが行われる。画像データをカメラに搭載された記録メディアからＰＣなどに送信することで、データの保護性や記録メディアの利用性が高まっている。
【０００３】
特許文献１に開示されたデータ記録装置は、デジタルカメラなどによって収録された画像データや音声データを、デジタルカメラに内蔵されたメモリカードから別の記録媒体に転送して記録する際に、記録後の検索が容易になるようにデータを格納するフォルダを分類して、属性の共通するデータごとに該当するフォルダに格納し記録することができる。
【０００４】
特許文献２に開示された発明では、クライアントと管理システム（ホスト）との間で更新同期を実行する際の仲介および計算プラットホームとして機能する同期プロキシ（サーバ）の改良型を示している。
【０００５】
特許文献３に開示されたサーバ装置では、ネットワークを介して各ホストより出力される画像情報、スキャナ入力された画像情報を各ホストからの指示に従って記録管理することにより、各ホストからの画像情報出力負担を軽減し、記録した画像情報を効率よく再利用できる。
【０００６】
【特許文献１】
特開２００１−５７０５６号公報
【０００７】
【特許文献２】
特開２０００−１３２４４４号公報
【０００８】
【特許文献３】
特開平６−２１４９１８号公報
【０００９】
【発明が解決しようとする課題】
しかしながら、記録メディアからＰＣにデータを転送した後も、データを削除するか記録メディアをフォーマットするか何れかのファイル操作を行わないと、ＰＣに転送済みデータが記録メディアに残っており、記録メディアにあるデータが転送済みのデータであるか未転送のデータであるかが区別できない。しかし、データを送信する度に記録メディアからデータを消去してしまうと、データ転送後に撮影データを見ることができずに不便である。また、複数の記録装置間でデータの同期をとるためには、データベース機能を何れかの記録装置に備え、データの更新日、データサイズ、ファイル名などに基づいて複数の記録装置間でデータの同期をとる必要がある。ＣＰＵなどのリソースが少ない機器にとっては、データベース機能を実装するにはコストの観点から好ましくない。
【００１０】
特許文献１に開示されたデータ記録装置では、撮影日や撮影機種などの属性ごとにフォルダを分類するために、同じ属性に分類されるデータでは外部機器に転送されたデータか未転送のデータかの区別はされていない。
【００１１】
特許文献２に開示された発明では、データの同期を管理するアプリケーションをサーバ、クライアントとも必要とする。したがって、クライアントにもデータ同期を管理するアプリケーションを実行し、データの処理を行うことができるリソースが必要になる。
【００１２】
特許文献３に開示されたサーバ装置では、スキャナ処理やプリンタ処理を行うためのデータの記録処理、読み出し処理などが行われているが、記録された画像の検索性や管理について開示されていない。
【００１３】
本発明はこのような事情を鑑みてなされたもので、データの管理および検索を容易にするデジタルカメラおよびデータ同期システム、データ同期方法を提供することを目的とする。
【００１４】
【課題を解決するための手段】
前記目的を達成するために本発明に係るデジタルカメラは、被写体像を撮影した光学像を電気信号に変換する撮像手段と、前記撮像手段によって得られた画像信号を画像データに変換する信号処理手段と、前記画像データを前記記録媒体に記録する記録手段と、を備えたデジタルカメラであって、前記記録媒体に記録されている画像データを外部機器に送出するデータ送出手段と、前記外部機器に送出された画像データを記録する転送済みフォルダを前記記録媒体に生成するフォルダ生成手段と、前記記録手段に記録されている画像データが外部機器に送出されると、当該データを前記転送済みフォルダに移動させ、前記画像データを移動元のフォルダから削除する制御を行う記録制御手段と、を備えたことを特徴としている。
【００１５】
本発明によれば、サーバにデータのバックアップを取ったり、印刷処理をしたりするために、サーバやＰＣなどの外部機器に画像データを送出すると、外部機器に送られた画像データは、記録媒体内に生成された転送済みフォルダに移動され、移動元もフォルダから削除される。したがって、外部機器に送出されたデータと外部機器に送出されていないデータとを区別でき、同じデータを何度も送出してしまうことを防止でき、大量の画像データの管理や検索が容易になる。
【００１６】
撮像手段はＣＣＤ型固体撮像素子やＭＯＳ型固体撮像素子などが含まれている。
【００１７】
画像データには、静止画形式のデータ、動画形式のデータがある。画像データにメモとして添付されるテキストデータなどが含まれていてもよいし、動画形式のデータに画像データと同時に記録された音声データが含まれていてもよい。
【００１８】
記録媒体はデジタルカメラに内蔵されている内部メモリでもよいし、デジタルカメラと着脱可能なメモリカードでもよい。また、外付けタイプのハードディスク、ＭＯドライブ、ＣＤドライブ、ＤＶＤドライブなどでもよい。
【００１９】
外部機器は、サーバ、ＰＣ、データバックアップ用大容量記録装置、プリンタ、画像処理装置などが含まれている。
【００２０】
データ転送手段には、ＳＣＳＩやセントロニクスなどのパラレル通信を適用してもよいし、ＵＳＢ、ＩＥＥＥ１３９４などのシリアル通信を適用してもよい。また、有線通信インターフェースだけでなく無線通信、赤外線通信も含まれている。
【００２１】
フォルダは、画像を主体にしたユーザインターフェース（ＧＵＩ）におけるディレクトリのことを示している。ＵＮＩＸや  Ｗｉｎｄｏｗｓなどの近代的なＯＳのファイルシステムでは、ユーザが自由に新しいディレクトリを作ることができ、新しく作られたディレクトリは既存のディレクトリに登録される。こうしてファイルをディスクに記録する時に登録するディレクトリを任意に選択することで、大量のファイルを整理、分類できる。この仕組みは「階層ディレクトリ  （構造」と呼ばれ、最も上位のディレクトリを「ルートディレクトリ」、それ以外のものを「サブディレクトリ」という。
【００２２】
「データを移動させる」には、移動元のフォルダには元のデータを残さない「データ（ファイル）の移動」や移動元に記録されているデータの複写データを移動先に記録し、移動元にもデータを残す「データのコピー」が含まれている。
【００２３】
転送済みフォルダは、予め生成されていてもよいし、画像データを外部機器に転送したときに自動的に生成されてもよい。
【００２４】
本発明の一態様によれば、前記記録媒体に前記転送済みフォルダが生成されている場合には、前記フォルダ生成手段は新たに転送済みフォルダを生成せず、前記記録制御手段は前記転送済みフォルダに外部機器へ転送された画像データを移動させる制御を行うことを特徴としている。
【００２５】
画像データ転送時に「転送済みフォルダ」が自動生成される態様の場合、転送済みデータが複数生成されると混乱するケースもあるので、上記態様によれば、転送済みフォルダを１つだけ生成するように構成した。ただし、必要に応じて転送済みフォルダを複数生成してもよいし、転送済みフォルダにサブフォルダを生成できるよう構成してもよい。
【００２６】
本発明の他の態様によれば、前記転送済みフォルダに記録される画像データを圧縮するデータ圧縮手段を備え、前記記録制御手段は、前記転送済みフォルダに記録される画像データを前記データ圧縮手段によって圧縮した後に前記転送済みフォルダに記録することを特徴としている。
【００２７】
かかる態様によれば、転送済みフォルダに記録されるデータを圧縮するように構成したので、転送済みフォルダが記録媒体の記録容量を圧迫しない。記録媒体に適切な記録容量を確保するために、転送済みフォルダの記録容量が所定の容量を超えると、転送済みフォルダ内のファイルを削除できるように構成するとよい。また、記録メディアの残容量が少なくなると転送済みフォルダ内のファイルを削除できるように構成してもよい。
【００２８】
また、本発明の他の態様によれば、前記記録媒体および前記転送済みフォルダに記録されている画像データの再生画像を表示する表示手段を備え、前記データ圧縮手段は、前記転送済みフォルダに記録される画像データを前記表示手段の最大表示能力で表示可能な容量に圧縮することを特徴としている。
【００２９】
転送済みフォルダに画像データを記録する場合には、該画像データの再生画像を表示装置に表示することが考えられる。したがって、表示装置の表示能力に合わせて容量を圧縮すれば、好ましい再生画像を得る事ができ、且つ、デジタルカメラの記録媒体を効率的に利用できる。
【００３０】
表示装置には、ＬＣＤモニタがよく使われているが、ＣＲＴモニタを用いてもよいし、有機ＥＬ型モニタを用いてもよい。
【００３１】
本発明のさらに他の態様によれば、前記外部機器に転送されたデータの複製が記録される記録先の情報を記録する記録先情報記録手段を備えたことを特徴としている。
【００３２】
かかる態様によれば、プリントやデータ配布など、圧縮されてない元のデータを入手したいときには、記録先情報記録手段に記録されている記録先の情報に基づいて元のデータを容易に入手することができる。
【００３３】
記録先情報に記録する態様には、転送された本画像のＵＲＬを転送済みフォルダに記録された画像のタグ情報やヘッダ情報に記録する態様がある。
【００３４】
前記目的を達成するために本発明に係るデータ同期システムは、データ通信手段を備えた外部機器と、前記外部機器とデータ通信を行う通信手段を備えたデジタルカメラと、から成るデータ同期システムであって、前記デジタルカメラは、被写体像を撮影した光学像を電気信号に変換する撮像手段と、前記撮像手段によって得られた画像信号を画像データに変換する信号処理手段と、前記画像データを前記記録媒体に記録する記録手段と、前記記録媒体に前記画像データを記録する転送済みフォルダを生成するフォルダ生成手段と、前記記録媒体に記録されている画像データが前記通信手段を介して前記外部機器に送出されると、前記画像データを前記転送済みフォルダに移動させ、前記画像データを移動元のフォルダから削除する制御を行う記録制御手段と、を備えたことを特徴としている。
【００３５】
本発明によれば、デジタルカメラによって撮影された画像データを外部機器にバックアップする際に、デジタルカメラから該画像データが送出されると、外部機器に送出した画像データは前記記録媒体に生成された転送済みホルダに移動される。したがって、データベースなどの複雑な機能は必要とせず、デジタルカメラと外部機器との間でデータを管理する機能が実現できる。
【００３６】
通信手段には、イーサネットに準拠したインターフェースを備えると、インターネットや既存のＬＡＮに容易に接続でき便利である。
【００３７】
また、前記目的を達成するために本発明に係るデータ同期方法は、被写体像を撮影した光学像を電気信号に変換する撮像手段と、前記撮像手段によって得られた画像信号を画像データに変換する信号処理手段と、前記画像データを前記記録媒体に記録する記録手段と、前記記録媒体に記録されたデータを外部機器に送出するデータ送出手段と、備えたデジタルカメラと外部機器との間におけるデータ同期方法であって、前記記録媒体に記録された画像データを、デジタルカメラから送出するデータ送出工程と、前記記録媒体に転送済みフォルダを生成するフォルダ生成工程と、前記転送工程によって前記外部機器に前記画像データ転送されると、前記画像データを前記記録媒体から前記転送済みフォルダに移動させるデータ移動工程と、前記データ移動工程において前記転送済みフォルダに移動された前記画像データを移動元から削除するデータ削除工程と、から成ることを特徴としている。
【００３８】
データ移動工程前に転送済みフォルダに記録データを圧縮する工程を備えると、記録媒体を効率的に使用することができる。
【００３９】
【発明の実施の形態】
以下、添付図面に従って本発明に係る記録装置およびデジタルカメラ並びにデータ同期方法の好ましい実施の形態について説明する。
［第１実施形態］
第１実施形態では、本発明を適用したデジタルカメラを例示する。図１はデジタルカメラ１０の斜視図である。カメラ１０には前面に、沈胴式の撮影レンズ２０、および図１に図示しない、ファインダー窓、ストロボ、ストロボ調光センサー、セルフタイマーランプ、マイク（図２の符号２６）が設けられている。
【００４０】
カメラ１０の背面には、ファインダー３０、モードダイヤル３２、右キー３４、左キー３６、上下レバー３７、メニュー／実行キー３８、キャンセル／戻るキー４０、表示キー４２および液晶モニタ４４が設けられている。
【００４１】
モードダイヤル３２は、カメラの機能（モード）を変更する手段であり、モードダイヤル３２を回動操作することにより、静止画撮影を行う撮影モード、撮影した画像を再生する再生モード、音声付き動画撮影を行うムービーモード、画像無しの音声記録を行うボイスレコーダモード、音楽ファイルを再生する音楽再生モードに設定できる。
【００４２】
右キー３４および左キー３６は、それぞれ再生モード時に１コマ逆送りボタン、１コマ順送りボタンとして機能し、あるいは、メニュー画面にてカーソルを右左に移動させるボタンとして機能する。
【００４３】
また、上下レバー３７は再生機能や撮影時のズーム機能における倍率調整用ズームキー等として用いられる。
【００４４】
メニュー／実行キー３８は各モードの通常画面からメニュー画面へ遷移させる時、あるいは、選択内容の確定、処理の実行（確認）指示の時などに使用される。
【００４５】
キャンセル／戻るキー４０はメニューから選んだ項目の取り消し（キャンセル）や一つ前の操作状態に戻る時などに使用される。
【００４６】
表示キー４２は液晶モニタ４４をＯＮ／ＯＦＦ操作したり、再生方法や再生中のコマ番号等の表示／非表示を切り換えたりするための操作手段である。
【００４７】
液晶モニタ４４は、電子ビューファインダーとして使用できるとともに、撮影した画像やカメラに装填されたメモリカードから読み出した再生画像等を表示することができる。また、液晶モニタ４４は、撮影可能コマ数や再生コマ番号の表示、ストロボ発光の有無、マクロモード表示、記録画質（クオリティー）表示、画素数表示等の情報も表示される。
【００４８】
カメラ１０の上面には、電源スイッチを兼ねたモード設定スイッチ４６およびレリーズボタン４８が設けられている。
【００４９】
モード設定スイッチ４６は、ツマミが図１の右方向に移動する時にはロックされ、ツマミが左方向に移動する時にはロックされないスライドスイッチであり、前記ツマミが右方向に移動してロックされると、オーディオモードを設定し、前記ツマミが左方向に移動する毎にカメラモードとカメラ内電源をＯＦＦにするＯＦＦモードとを交互に設定する。
【００５０】
レリーズボタン４８は２段階式に構成され、レリーズボタン４８を軽く押して止める「半押し（Ｓ１オン）」の状態で自動ピント合わせ（ＡＦ）および自動露出制御（ＡＥ）が作動してＡＦとＡＥをロックし、「半押し」から更に押し込む「全押し（Ｓ２オン）」の状態で撮影が実行される。レリーズボタン４８は、静止画の記録開始の指示を与える手段であるとともに、動画の録画ボタン（録画スタート／ストップボタン）およびボイスレコーダモード下での録音ボタン（録音スタート／ストップボタン）として兼用される。
【００５１】
カメラ１０の底面には、メモリカード５０のスロットカバーを兼ねた電池カバー５２、および図１には図示しない、三脚ねじ穴が設けられている。また、カメラ１０の右側面（グリップと反対側の側面）には、音声／映像出力端子（ラインＯＵＴ）５４、リモコン端子５６、デジタル（ＵＳＢ）Ｉ／Ｆ５８、電源入力端子６０、スピーカー６２が設けられている。
【００５２】
カメラ１０にはイーサネットに準拠した通信Ｉ／Ｆ６４を備えている。通信Ｉ／Ｆ６４はカード型無線機を装着できるカードスロットおよびＬＡＮケーブルを接続するコネクタから構成されている。通信Ｉ／Ｆ６４を介して、インターネットやＬＡＮなどのネットワークに接続でき、該ネットワークに接続されている他の機器とデータ通信を行うことができる。通信方式はイーサネットに限定されず他の通信方式を適用してもよい。なお、図１には通信Ｉ／Ｆ６４は示されていない。
【００５３】
図２はカメラ１０の内部構成を示したブロック図である。
【００５４】
同図において、中央処理装置（ＣＰＵ）７０は、本カメラシステムを統括制御する制御部である。ＣＰＵ７０は、モードダイヤル３２、モード設定スイッチ４６、レリーズボタン４８等からの指示信号の入力に基づいてカメラ１０内の各回路の動作を制御する。
【００５５】
ＲＯＭ７１にはＣＰＵ７０が処理するプログラムおよび制御に必要な各種データ等が格納されている。ＲＡＭ（バッファメモリ）７２は画像処理領域の他、ＣＰＵ７０が各種の演算処理等を行う作業用領域を有している。
【００５６】
撮影レンズ２０を通過した光は、図示せぬ絞りによって光量が調節された後、ＣＣＤイメージセンサ（以下ＣＣＤと記載）７４に入射する。ＣＣＤ７４の受光面には、多数のフォトセンサが平面的に配列されており、撮影レンズ２０を介してＣＣＤ７４の受光面に結像された被写体像は、各フォトセンサによって入射光量に応じた量の信号電荷に変換される。なお、ＣＣＤ７４は、シャッターゲートパルスのタイミングによって各フォトセンサの電荷蓄積時間（シャッタースピード）を制御する、いわゆる電子シャッター機能を有している。
【００５７】
このようにして蓄積された信号電荷は、その信号電荷に応じた電圧信号として順次読み出される。ＣＣＤ７４から順次読み出された電圧信号は、相関二重サンプリング回路（ＣＤＳ回路）７６に加えられ、ここで画素ごとのＲ、Ｇ、Ｂ信号がサンプリングホールドされるともに増幅され、Ａ／Ｄ変換器７８に加えられる。Ａ／Ｄ変換器７８は、ＣＤＳ回路７６から順次加えられるＲ、Ｇ、Ｂ信号をデジタル信号に変換して画像信号処理回路８０に出力する。
【００５８】
画像信号処理回路８０は、Ａ／Ｄ変換器７８から加えられる点順次のＲ、Ｇ、Ｂ信号を同時式に変換する同時化処理、ホワイトバランス調整、ガンマ補正、輝度／色差信号処理（ＹＣ処理）等の所定の画像処理を行う。画像信号処理回路８０で処理された画像データはＲＡＭ７２に格納される。撮影画像を表示出力する場合、ＲＡＭ７２から画像データが読み出され、このデータが内部バス８５を介して画像再生処理回路８６に転送される。
【００５９】
画像再生処理回路８６に送られたデータは、画像再生処理回路８６およびビデオエンコード回路８８を介して表示用の所定方式の信号（例えば、ＮＴＳＣ方式のカラー複合映像信号）に変換された後、液晶モニタ４４に出力されるとともに、音声／映像出力端子５４に出力される。ＣＣＤ７４から出力される画像信号によってＲＡＭ７２内の画像データが定期的に書き換えられ、その画像データから生成される映像信号が液晶モニタ４４に供給されることにより、ＣＣＤ７４を介して入力する画像がリアルタイムに液晶モニタ４４に表示される。撮影者は、液晶モニタ４４に映し出される画像（スルー画）、或いはファインダー３０によって撮影画角を確認できる。
【００６０】
モードダイヤル３２によって撮影モードが設定され、レリーズボタン４８が全押しされると（Ｓ２オン）、撮影開始指示（レリーズオン）信号が発せられる。
【００６１】
ＣＰＵ７０は、この指示信号の受入に呼応して、記録用の画像データの取り込みを開始する。なお、ＣＰＵ７０は、撮影動作に先立ち、レリーズボタン４８の半押し（Ｓ１オン）に応動してＡＦ制御およびＡＥ制御を行う。すなわち、ＣＰＵ７０はＣＣＤ７４から得られる画像データに基づいて焦点評価演算やＡＥ演算などの各種演算を行い、その演算結果に基づいてレンズ駆動用モータ９２のドライバ９０を制御し、撮影レンズ２０を合焦位置に移動させる一方、図示せぬアイリス駆動部を制御して絞りを適正絞り値に設定するとともにＣＣＤ７４の電荷蓄積時間を制御する。また、ＣＰＵ７０は、必要に応じてストロボ発光制御を行う。
【００６２】
レリーズボタン４８全押し（Ｓ２オン）に応動して取り込まれた画像データは、ＹＣ処理その他の所定の信号処理を経てＲＡＭ７２に格納される。ＣＰＵ７０は圧縮伸長処理回路９４にコマンドを送り、これにより圧縮伸長処理回路９４は、ＲＡＭ７２上に取り込まれた画像データ（輝度信号Ｙとクロマ信号Ｃｒ、Ｃｂ）を所定のフォーマット（例えば、ＪＰＥＧ方式）  に従って圧縮する。圧縮されたデータは、メディアコントロール回路９６を介してメモリカードスロット９８に装着されたメモリカード５０に記録される。
【００６３】
本例のカメラ１０では、画像データを保存する手段として、例えばｘＤ−ｐｉｃｔｕｒｅ  Ｃａｒｄ  （商標）が適用される。記録メディアの形態はこれに限定されず、ＰＣカード、コンパクトフラッシュ（商標）、メモリースティック（商標）などの半導体記録媒体やマイクロドライブ（商標）に代表される磁気記録媒体、光ディスク、光磁気ディスクなどでもよく、電子的、磁気的、若しくは光学的、又はこれらの組み合わせによる方式に従って読み書き可能な種々の媒体を用いることができる。使用される媒体に応じた信号処理手段とインターフェースが適用される。異種、同種の記録メディアを問わず、複数の媒体を装着可能な構成にしてもよい。リムーバブルメディアに限らず、カメラ１０に内蔵された記録媒体（内部メモリ）であってもよい。
【００６４】
カメラ１０には撮影後（記録前）に撮影結果を液晶モニタ４４に表示して、その撮影画像を記録するか否かをユーザが選択できるようにした機能（プレビュー機能）が設けられている。ユーザは、セットアップメニュー画面において、プレビュー機能の有効／無効を指定することができる。プレビュー機能が「有効」の場合、撮影直後に撮影画像が表示され、当該画像の記録を容認する場合は、ユーザはメニュー／実行キー３８を押下して、「記録ＯＫ」の指示を入力する。この指示入力に応動して撮影画像がメモリカード５０に書き込まれる。また、液晶モニタ４４に表示された撮影画像の記録を希望しない場合、ユーザはキャンセル／戻るキー４０を押下して「記録取消」の指示を入力する。この指示入力応動して撮影画像の記録処理が取り消される。
【００６５】
また、静止画の撮影後に一定時間内の音声を記録できるボイスメモ機能を有している。静止画の撮影モード（オート撮影モード、またはマニュアル撮影モード）におけるメニュー画面でボイスメモ機能のＯＮ／ＯＦＦを選択できるようになっている。
【００６６】
ボイスメモ機能ＯＮが選択されている場合、撮影を実行して画像データをメモリカード５０に書き込み終わると、液晶モニタ４４には記録画像を背景とする録音スタンバイ画面が表示される。録音スタンバイ画面でキャンセル／戻るキー４０を押下した場合、ボイスメモ録音を実行せずに、通常の撮影画面に遷移する。
【００６７】
一方、レリーズボタン４８全押し（Ｓ２オン）でボイスメモ録音を開始し、その後レリーズボタン４８の半押し（Ｓ１オン）で録音を完了する。ここでメニュー／実行キー３８を押下すると音声データをメモリカード５０に書き込む処理が実行される。録音中にキャンセル／戻るキー４０を押下した場合は録音がキャンセルされ、録音スタンバイ画面に戻る。
【００６８】
録音が一定時間（例えば３０秒間）を超えると録音は強制的に終了され、液晶モニタ４４には録音終了画面が表示される。ここでメニュー／実行キー３８を押下すると、音声処理回路１００において所定の信号処理を施された後、録音内容がメモリカード５０に書き込まれる。録音のやり直しを希望する場合には、キャンセル／戻るキー４０を押下して録音スタンバイ画面に戻す。こうしてボイスメモ機能による音声記録が完了すると、通常の撮影モードに復帰して、撮影が可能となる。
【００６９】
カメラ１０では、メモリカード５０にデータを記録する際に、フォルダ生成部１０２によって適宜フォルダが生成され、メモリカード５０にはフォルダの階層構造が構築される。フォルダ生成部１０２は、ＣＰＵ７０によって制御され、ＲＯＭ７１に格納されたプログラムに従ってメモリカード５０内にフォルダを生成する。
【００７０】
次に、メモリカード５０におけるフォルダの階層構造について説明する。
【００７１】
図３は、メモリカード５０に記録された画像データファイルとフォルダ構造を示している。階層構造の最上位にあるＲＯＯＴフォルダ２００の中には撮影画像（原画像）のフォルダであるＤＣＩＭフォルダ（以下ＤＣＩＭと記載）２０２が生成されている。さらに、ＤＣＩＭ２０２にはベンダー固有フォルダ２０４が生成される。ベンダー固有フォルダは、メモリカード５０を異なるカメラで使用した場合にカメラごとに生成される。
【００７２】
ベンダー固有フォルダには、１枚の撮影画像のファイルが直接記録された撮影画像１（符号２０６）および撮影画像２（符号２０８）が存在している。
【００７３】
なお、ベンダー固有フォルダ名および画像ファイル名は記録時にＣＰＵ７０によって自動付与される。例えば、「３桁の数値と５文字の任意の文字列とで構成され、３桁の数値は同一レベルのフォルダ上にある他のフォルダと必ず異なっている」や、「４文字の任意の文字列と４桁の数値とで構成され、４桁の数値は同一フォルダ内にあるほかの画像ファイルのものと必ず異なっている」のように自動的にファイル名が付与される。また、フォルダ名およびファイル名の３桁あるいは４桁の数字は、原則として、重複なく連番で付与されることが好ましい。
【００７４】
また、画像データファイル名には、記録形式に従ったアルファベット３文字で構成される拡張子が付与される。例えば、ＪＰＥＧ形式を表すＪＰＧ  やビットマップ形式を表すＢＭＰ  などがある。なお、拡張子はオペレーティングシステム（ＯＳ）によってはアルファベット４文字で表されることもある。
【００７５】
上述したベンダー固有フォルダ名および画像データファイル名は一例であり、所定の規則に従って自由に付与することが可能である。
【００７６】
次に、図４乃至図８を用いて、メモリカード５０に記録されている画像データファイルのバックアップファイルをＰＣ２１０に生成したときの、メモリカード５０およびＰＣ２１０のフォルダ構造について説明する。
【００７７】
ＰＣ２１０にはハードディスク２１２（不図示）が内蔵されており、画像データファイルのバックアップファイルはすべてハードディスク（ＨＤ）２１２に生成される。なお、図４乃至図８ではＲＯＯＴディレクトリは省略されている。
【００７８】
図４は、撮影画像１をＰＣ２１０に転送したときのメモリカード５０およびＨＤ２１２のフォルダ構造を示している。
【００７９】
カメラ１０に備えられたデジタル（ＵＳＢ）Ｉ／Ｆ５８を介して、メモリカード５０に記録されている撮影画像１は、ＵＳＢＩ／Ｆ５８を介してケーブル接続されたＰＣ２１０に送られる。
【００８０】
カメラ１０からＰＣ２１０へ撮影画像１の転送が成功すると、メモリカード５０内のＤＣＩＭフォルダ２０２には自動的に転送済みフォルダ２１４が生成され、ベンダー固有フォルダ１に記録されていた撮影画像１は転送済みフォルダ２１４に移動され、ベンダー固有フォルダ１から削除される。ＰＣ２１０では、ＨＤ２１２に撮影画像１のバックアップファイルである撮影画像１Ａ（２１３）符号が記録される。
【００８１】
図５は、ＰＣ２１０に撮影画像１を転送した後、メモリカード５０をフォーマットせずにカメラ１０を用いて新たな画像を撮影し記録したときのメモリカード５０のフォルダ構造を示している。
【００８２】
カメラ１０を用いて撮影された撮影画像３（符号２１６）、撮影画像４（符号２１８）は、ＤＣＩＭ２０２内のベンダー固有フォルダ１に記録される。
【００８３】
次に、図５に示した状態で、カメラ１０からＰＣ２１０に撮影画像３を転送すると、メモリカード５０およびＨＤ２１２のフォルダ構造は図６に示したとおりになる。
【００８４】
カメラ１０では、メモリカード５０に新たに転送済みフォルダは生成されず、撮影画像３はベンダー固有フォルダ１から転送済みフォルダ２１４に移動され、ベンダー固有フォルダ１から削除される。ＰＣ２１０では撮影画像３のバックアップファイル撮影画像３Ａ（符号２１９）がＨＤ２１２に記録される。
【００８５】
図６に示した状態で、メモリカード５０を用いてカメラ１０と異なるデジタルカメラ２２０で撮影を行うと、メモリカード５０のフォルダ構造は図７に示すとおりになる。なお、カメラ２２０はカメラ１０と同一の構成であり、上述してフォルダ生成機能を有している。
【００８６】
メモリカード５０にはベンダー固有フォルダ２（符号２２２）が生成され、新たな撮影によって得られた撮像画像５（符号２２４）および撮影画像６（符号２２６）はベンダー固有フォルダ２に記録される。
【００８７】
また、図７に示した状態で、撮影画像５をＰＣ２１０に転送すると、メモリカード５０およびＨＤ２１２のフォルダ構造は図８に示したとおりになる。
【００８８】
撮影画像５は、ベンダー固有フォルダ２から転送済みフォルダ２１４に移動され、ベンダー固有フォルダ２から削除される。ＰＣ２１０では、ＨＤ２１２に撮影画像５のバックアップファイル撮影画像５Ａ（符号２２５）が記録される。
【００８９】
転送済みフォルダ２１４は、メモリカード５０をカメラ１０でフォーマットすると自動的に生成されるよう構成してもよい。また、転送済みフォルダ２１４が生成される階層はＤＣＩＭフォルダの下の階層に限定されず、ｒｏｏｔの下の階層に生成されてもよいし、何れの階層に生成されてもよい。
【００９０】
上述したように、ベンダー固有フォルダが複数存在しても転送済みフォルダは１つだけ生成される態様を例示したが、例えば、ベンダー固有フォルダごとに転送済みフォルダを生成するように転送済みフォルダは複数生成されてもよい。
【００９１】
新たに撮影を行った結果、メモリカード５０の記録容量が不足した場合には、転送済みフォルダ２１４内に記録されている画像データファイルを古い順に削除し、メモリカード５０の記録容量を確保するとよい。画像データファイルの削除が自動的に行われるように構成してもよいし、選択的に行われるように構成してもよい。
【００９２】
カメラ１０およびカメラ２２０とＰＣ２１０とのデータ通信は、ＵＳＢＩ／Ｆを介したケーブル接続に限定されない。ＵＳＢＩ／Ｆ以外Ｉ／Ｆを介してケーブル接続をする態様や、通信Ｉ／Ｆ６４を介してネットワークを経由する態様、電子メールに添付する態様などが考えられる。電子メールに添付する場合には、カメラに電子メール機能を備えるか、カメラ付き携帯電話の撮影機能を用いて撮影を行い、電子メール機能を用いて電子メールに画像を添付する態様がある。上述したように、カメラ１０およびカメラ２２０とＰＣ２１０とのデータ通信には、様々な態様があり、何れの態様を適用してもよい。
【００９３】
また、カメラ１０およびカメラ２２０とＰＣ２１０とのデータのやり取りはデータ通信だけでなく、ＰＣ２１０にメモリカードスロットを備え、メモリカード５０をＰＣに装着した状態でＰＣ２１０を操作して行う態様や、ＭＯドライブやハードディスクなどの他のリムーバブル装置を介して行う態様が考えられる。
【００９４】
カメラ１０は動画撮影（記録）機能およびボイスメモ機能、音楽再生機能を備えており、メモリカード５０には動画形式のデータ、音楽形式のデータも記録される。上述したファイル操作は、動画形式のデータおよび音楽形式のデータにも適用することができる。
【００９５】
ファイル転送、ファイル消去などのメモリカード５０に対するファイル操作指示は、カメラ１０に備えられている操作ボタンなどの操作系から行ってもよいし、ＰＣ２１０に備えられたマウス、キーボードなどの操作系からリモート操作を行ってもよい。カメラ１０の操作系を使用するかＰＣ２１０の操作系を使用したリモート操作を行うかを設定できるように構成するとよい。
【００９６】
ＰＣ２１０の操作系からリモート操作を行う場合には、カメラ１０のファイル操作システムをリモート制御するユーティリティソフト（アプリケーションソフト）をＰＣ２１０にインストールする。なお、前述したユーティリティソフトは画像ファイルをＰＣ２１０上で再生できるビューアソフトをリンクされていると便利である。
【００９７】
転送済みフォルダ２１４に記録されているファイルは、一括削除、選択削除を行うことができ、ファイル削除の指示はカメラ１０の操作系またはＰＣ２１０の操作系から行うことができる。転送済みフォルダ２１４内のファイルがすべて削除されたときには、転送済みフォルダ２１４を削除するように構成してもよい。
【００９８】
メモリカード５０をカメラ１０から取り外し、カードリーダなど他の外部機器においてメモリカード５０からアクセスすると、図３乃至図８に例示したフォルダ構造を見ることができる。
【００９９】
上記の如く構成されたデジタルカメラでは、複数のカメラに共用可能なメモリカード５０には、ＤＣＩＭフォルダ２０２の中に使用するカメラごとのベンダー固有フォルダが生成され、撮影された画像データファイル（例えば、図４の撮影画像１）は各ベンダー固有フォルダ（例えば、図４のベンダー固有フォルダ１）に記録される。メモリカード５０に記録された画像データファイルをＰＣ２１０に転送すると、メモリカード５０にはＤＣＩＭフォルダの中に転送済みフォルダ２１４が生成され、ＰＣ２１０に転送された画像データファイルはベンダー固有フォルダから転送済みフォルダ２１４に移動され、ベンダー固有フォルダーから削除される。ＰＣ２１０では、ＨＤ２１２に転送された画像データファイルのバックアップ（例えば、図４の撮影画像１Ａ）が生成される。したがって、転送された画像データと未転送画像データが容易に識別でき、同じ画像データを何度も転送したり、未転送画像データを誤って削除したりすることを防止できる。また、デジタルカメラ１０に標準的に備えられたファイルシステムを利用してデジタルカメラ１０とＰＣ２１０との間におけるデータの同期を取ることができる。
【０１００】
第１実施形態では、カメラ１０と着脱可能なメモリカード５０を例示したが、内部メモリや外付け記録装置にも適用可能である。
【０１０１】
また、デジタルカメラによって撮影された画像について例示したが、本発明の適用範囲は画像ファイルに限定されず、動画ファイル、音楽ファイルを含む音声ファイル（ボイスメモや動画撮影時の音声）はもちろん、メモ等のテキストファイルに適用することが可能である。
【０１０２】
第１実施形態ではデジタルカメラを例示したが、カメラ付き携帯電話、カメラ付きパソコン、カメラ付きＰＤＡ、デジタルビデオカメラ、またはこれらの複合機器にも適用可能である。
［第２実施形態］
次に、第１実施形態に例示したカメラ１０をネットワークに接続し、該ネットワークを経由してサーバにデータバックアップを行うデータ同期システムについて説明する。
【０１０３】
図９は第２実施形態に係るデータ同期システムの構成図である。なお、図９中図１乃至図８と同一または類似する部分には同一の符号を付し、その説明は省略する。
【０１０４】
ネットワーク３００には、サーバ３０２が接続され、サーバ３０２はストレージ３０４を備えている。ストレージ３０４にはストレージ３０４に記録される画像データを管理する画像データベース（画像ＤＢ）が生成されている。また、ネットワーク３００にはセルフ操作式プリントマシンなどのプリント装置３０５が接続されている。プリント装置３０５はプリントステーションやラボ店にあるサーバを経由してネットワーク３００に接続されてもよい。
【０１０５】
また、第１実施形態に示したデジタルカメラ１０は通信Ｉ／Ｆ６４を介してネットワーク３００に接続されている。また、ネットワーク３００にはデジタルカメラ１０の他に第１実施形態に示したデジタルカメラ２２０や図９には図示しない他の機器が接続されている。なお、符号３０６はデジタルカメラ２２０に装着されているメモリカードである。
【０１０６】
図１０を用いて、メモリカード５０に記録されている画像データファイルをサーバ３０２にバックアップする制御について説明する。
【０１０７】
カメラ１０によって撮影され、メモリカード５０に記録された画像データファイルは、ネットワーク３００を経由してサーバ３０２に転送される。
【０１０８】
メモリカード５０からサーバ３０２への該画像データファイル転送が成功すると、メモリカード５０には、ＤＣＩＭフォルダ内に転送済みフォルダ２１４を生成され、該画像データファイルは、ベンダー固有フォルダ１から転送済みフォルダ２１４に移動され、ベンダー固有フォルダ１から削除される。また、サーバでは、該画像データファイルのバックアップがストレージ３０４に生成され、また、ストレージ３０４に生成された画像ＤＢに登録される。
【０１０９】
カメラ１０からサーバ３０２へデータを転送する操作指令はカメラ１０の操作系を使用してもよいし、第１実施形態に示したように、カメラ１０に接続されたＰＣなどの外部機器からリモート操作を行ってもよい。
【０１１０】
図１１は、第２実施形態の応用例を示したブロック図である。カメラ１０において、ベンダー固有フォルダ２０４から転送済みフォルダ２１４に画像データファイルを移動させる際に、該画像データをカメラ１０に備えられた液晶モニタ４４の表示能力に合わせた解像度に圧縮する処理を行う。
【０１１１】
画像データファイルを圧縮する態様は解像度を縮小する態様に限定されず、単なるファイルの論理圧縮でもよいし他の圧縮処理を適用してもよい。ただし、圧縮された画像データファイルを可逆的に復元できるような圧縮処理を適用することが好ましい。
【０１１２】
一方、サーバ３０２では、該画像データファイルがストレージ３０４に記録され、画像データベースに登録されると、該画像データファイルの登録先（記録先）ＵＲＬを、ネットワーク３００を経由してカメラ１０に送信する。カメラ１０では該登録先ＵＲＬを取得すると、転送済みフォルダ２１４に記録されている画像データファイル（圧縮ファイル）のＥｘｉｆタグ（ヘッダ部）に該登録先ＵＲＬを記録する。
【０１１３】
登録先ＵＲＬを記録する態様はＥｘｉｆタグに記録する態様に限定されず、登録先ＵＲＬと画像データファイルとを関連付けて記録されればよい。
【０１１４】
ストレージ３０４に生成されたバックアップファイルおよび画像ＤＢにアクセスできるのは、予めユーザ登録を行い、認証パスワードを取得したユーザのみであるように構成するとバックアップファイルおよび画像ＤＢの安全性、信頼性が保たれる。
【０１１５】
サーバ３０２から、カメラ１０に装着されているメモリカード５０には直接書き込みをできないようにカメラ１０またはメモリカード５０に、メモリカード５０のライトプロテクト機能を備えることが好ましい。
【０１１６】
図１２は、上述したデータ同期システムの制御の流れを示したフローチャートである。
【０１１７】
データバックアップが開始されると（ステップＳ１０、ステップＳ１２）、バックアップする画像データファイルがカメラ１０からサーバ３０２に送出される（ステップＳ１４）。サーバ３０２が該画像データファイルを取得すると（ステップＳ１６）、ストレージ３０４に該画像データファイルを記録され（ステップＳ１８）、該画像データファイルは画像ＤＢに登録される（ステップＳ２０）。
【０１１８】
サーバ３０２は該画像データファイルの登録先ＵＲＬをカメラ１０に送出し（ステップＳ２２）、サーバ３０２のバックアップ制御を終了するか否かを判断する（ステップＳ２４）。バックアップ制御を終了しない場合には（ＮＯ判定）、ステップＳ１６に進み、カメラ１０から送信される画像データファイルを取得する。一方、バックアップ制御の終了処理が行われると（ＹＥＳ判定）、サーバ３０２はバックアップ制御を終了する（ステップＳ２６）。
【０１１９】
カメラ１０では、画像データファイルがサーバ３０２に送出されると、転送済みフォルダ２１４が存在しているか否かを検出し、転送済みフォルダ２１４が存在する場合には（ＮＯ判定）、転送済みの画像データファイルを液晶モニタ４４の表示能力に合わせて圧縮する（ステップＳ３２）。また、ステップＳ２８において、転送済みフォルダ２１４が存在する場合には（ＹＥＳ判定）、転送済みフォルダ２１４を生成し（ステップＳ３０）、ステップＳ３２に進む。
【０１２０】
ステップＳ３２において、転送済み画像データファイルが圧縮されると、カメラ１０はサーバ３０２内の画像データファイル登録先ＵＲＬの取得待ちを行い（ステップＳ３４）、該登録先ＵＲＬを取得できない場合には（ＮＯ判定）、登録先ＵＲＬ取得待ちを継続し、該登録先ＵＲＬを取得した場合には（ＹＥＳ判定）、転送済み画像データファイル（圧縮済み）のＥｘｉｆタグに該登録先ＵＲＬの書き込みが行われる（ステップＳ３６）。
【０１２１】
ステップＳ３６において、該登録先ＵＲＬをＥｘｉｆタグに書き込まれた転送済み画像データファイルは、ベンダー固有フォルダ２０４から転送済みフォルダ２１４に移動され（ステップＳ３８）、転送済み画像データファイルはベンダー固有フォルダ２０４から削除される（ステップＳ４０）。
【０１２２】
その後、カメラ１０のバックアップ制御を終了するか否かを判断し（ステップＳ４２）、バックアップ制御を終了しない場合には（ＮＯ判定）、ステップＳ１４に進み、次のバックアップファイルをサーバ３０２に送出する。一方、バックアップ制御の終了処理が行われると（ＹＥＳ判定）、カメラ１０のバックアップ制御を終了する（ステップＳ４４）。
【０１２３】
サーバ３０２にバックアップされた画像データファイルのプリントを希望する場合には、まず、メモリカード５０に記録されている圧縮された画像データファイルをセルフ操作式プリントマシン３０５に送出し、セルフ操作式プリントマシン３０５では、画像データファイルのＥｘｉｆタグに記録されている登録ＵＲＬ見て、そのＵＲＬにアクセスして、サーバ３０２にバックアップされている元の画像データファイルを入手するし、この元画像データファイルから画像データのプリントを行う。このように構成すると、セルフ操作式プリントマシン３０５において高解像度の元画像データファイルが入手でき、好ましいプリント出力を行うことができる。
【０１２４】
メモリカード５０に記録されている画像データファイルをセルフ操作式プリントマシン３０５に送出する態様は、ネットワークを経由してもよいし、メモリカード５０自体をプリントステーションに送ってもよい。
【０１２５】
プリント代金の課金方法は、サイト上で電子決済を行う形態、プリント画像と引き換えに代金を支払う形態、サイト使用料と合わせてサイト運営者が代金を徴収する形態が考えられる。サイト上での電子決済にはクレジットカードによる決済を含んでいる。セルフ操作式プリントマシンでは、代金を挿入するとプリント画像が提供される形態もある。
【０１２６】
上記の如く構成されたデータ同期システムでは、カメラ１０に装着されたメモリカード５０に記録されている画像データファイルをサーバ３０２に転送し、該画像データファイルの転送が成功すると、メモリカード５０には転送済みフォルダ２１４が生成され、サーバ３０２に転送された画像データファイルは転送済みフォルダ２１４に移動され、ベンダー固有フォルダ２０４から削除される。したがって、サーバ３０２にバックアップされているデータとサーバ３０２にバックアップされていないデータとを容易に区別できる。データベースなど複雑な機能は必要とせず、コストを抑えたファイル管理を実現できる。
【０１２７】
また、画像データファイルは、液晶モニタ４４の表示能力に合わせて圧縮されるので、カメラ１０に装着されたメモリカード５０を有効に活用でき、最大限に撮影データをメモリカード５０記録することができる。
【０１２８】
メモリカード５０の転送済みフォルダ２１４に記録される画像データファイルのＥｘｉｆタグには、画像データファイルのバックアップファイル（例えば、図４の撮影画像１Ａ）のサーバ内登録先ＵＲＬが記録されるように構成したので、印刷や配布などの目的で圧縮されていない撮影画像１Ａを使用する際に、大変便利である。
【０１２９】
次に、上述した第２実施形態の他の応用例について説明する。カメラ１０に備えられた通信Ｉ／Ｆ６４に無線ＬＡＮインターフェースを適用し、該無線ＬＡＮ通信可能領域や該無線ＬＡＮのアクセスポイント通信可能領域に入ると、自動的にサーバ３０２がカメラ１０に装着されたメモリカード５０内のデータをサーバ３０２へバックアップする。
【０１３０】
カメラ１０が該無線ＬＡＮ通信可能領域や該無線ＬＡＮのアクセスポイント通信可能領域に入ると、サーバ３０２はカメラ１０に無線通信要求を行う。カメラ１０から応答があると、所定の無線接続処理が行われ、カメラ１０とサーバ３０２との無線通信が確立される。無線通信が確立されると、サーバ３０２はカメラ１０へデータバックアップを要求する。
【０１３１】
カメラ１０はサーバ３０２からデータバックアップ要求を受けると、メモリカード５０内の未転送データを検出し、未転送があればその未転送データをサーバ３０２に転送し、メモリカード５０に生成された転送済みフォルダ２１４に該データを移動させる。
【０１３２】
サーバ３０２では、カメラ１０から転送されたデータを、ストレージ３０４に生成された画像ＤＢに登録し、ストレージ３０４に記録する。
【０１３３】
カメラ１０が該無線ＬＡＮ通信可能領域外や該無線ＬＡＮのアクセスポイント通信可能領域外に出ると、サーバ３０２は無線通信切断処理を行い、カメラ１０とサーバ３０２との無線通信が切断される。メモリカード５０の残容量が少なくなると、転送済みフォルダ２１４に記録されているデータは古いものから削除され、一定の残容量を確保する。
【０１３４】
上述した応用例では、カメラ１０とサーバ３０２との無線通信が確立されると、サーバ３０２からカメラ１０へデータバックアップ要求が行われ、カメラ１０はサーバ３０２からのデータバックアップ要求に応じて、メモリカード５０内の未転送データを検出して、メモリカード５０内に未転送データが存在する場合には、該未転送データをサーバ３０２に転送し、転送済みデータを転送済みフォルダ２１４に移動させる処理を行う。メモリカード５０に記録されているデータのうち未転送データが自動的にサーバ３０２に転送されて便利である。
【０１３５】
データを移動させる態様は、ＦＡＴ（Ｆｉｌｅ  Ａｌｌｏｃａｔｉｏｎ  Ｔａｂｌｅ）を書き換える態様がよく用いられている。これは大容量記録媒体を効率よく使用できる方法である。もちろん、データ領域内の物理的位置を移動させる態様を用いてもよい。
【０１３６】
【発明の効果】
本発明よれば、記録媒体に記録されているデータを外部機器に転送すると、外部機器の移動されたデータは転送済みフォルダに移動される。したがって、転送済みフォルダに記録されているデータを見れば、外部機器に転送されたデータが分かり、同じデータを何度も外部機器に転送してしまうことを防止でき、データの検索や管理が容易になる。また、画像データ転送時に「転送済みフォルダ」が自動生成される態様の場合、転送済みデータが複数生成されると混乱するケースもあるので、上記態様によれば、転送済みフォルダを１つだけ生成するように構成した。ただし、必要に応じて転送済みフォルダを複数生成してもよいし、転送済みフォルダにサブフォルダを生成できるよう構成してもよい。
【０１３７】
さらに、転送済みフォルダ記録されるデータをデジタルカメラに備えられた表示装置で画像の再生を行うことができるように圧縮して記録すると、転送済みフォルダが必要以上に大きくなることを防止でき、データ保管用のメモリを効率的に利用できる。データの圧縮を行う際にはデータの記録先情報を記録するよう構成すると、プリントやデータ配布のためにデータを再利用する際に、本画像の入手が容易にできる。
【０１３８】
また、前記外部機器をサーバに置き換えたデータ同期システムを構築することができ、データベースなど複雑な機能を必要とせず、デジタルカメラとサーバとの間のデータを管理する機能が実現できる。
【図面の簡単な説明】
【図１】本発明の第１実施形態に係るデジタルカメラの斜視図
【図２】本発明の第１実施形態に係るデジタルカメラのブロック図
【図３】メモリカードのフォルダ構造を示す図
【図４】データ転送後のメモリカードとＰＣのフォルダ構造を示す図
【図５】データ転送後に撮影を行った場合のメモリカードのフォルダ構造を示す図
【図６】図５におけるデータ転送後のメモリカードとＰＣのフォルダ構造を示す図
【図７】異なるカメラで撮影を行ったときのメモリカードのフォルダ構造を示す図
【図８】図７におけるデータ転送後のメモリカードとＰＣのフォルダ構造を示す図
【図９】本発明の第２実施形態に係るデータ同期システムの構成図
【図１０】本発明の第２実施形態に係るデータ同期システムのブロック図
【図１１】データ同期システムの応用例のブロック図
【図１２】データ同期システムの制御の流れを示したフローチャート
【符号の説明】
１０…カメラ、４４…液晶モニタ、５０…メモリカード、６４…通信Ｉ／Ｆ、７０…ＣＰＵ、７４…ＣＣＤ、８０…画像信号処理回路、９６…メディアコントロール回路、１０２…フォルダ生成部、２１０…ＰＣ、２１４…転送済みフォルダ、３００…ネットワーク、３０２…サーバ
【図１】
2004312367.tif 000003
【図２】
2004312367.tif 000004
【図３】
2004312367.tif 000005
【図４】
2004312367.tif 000006
【図５】
2004312367.tif 000007
【図６】
2004312367.tif 000008
【図７】
2004312367.tif 000009
【図８】
2004312367.tif 000010
【図９】
2004312367.tif 000011
【図１０】
2004312367.tif 000012
【図１１】
2004312367.tif 000013
【図１２】
2004312367.tif 000014